(57)【要約】【課題】  実行中／実行待機中の各ジョブを内容を確認する作業が行い易いファクシミリ装置を、提供する。【解決手段】  複数のジョブを並行的に実行可能な、タッチスクリーンを備えたファクシミリ装置を、ユーザが、ボタンを押下する操作を行うことにより、タッチスクリーン上に、読取ジョブ，ＦＡＸ送信ジョブ、印刷ジョブ，ＦＡＸ受信ジョブという順で、各ジョブの内容が示される（内容を表示するジョブの種類を選択する操作を行うことなく、各ジョブの内容を表示させることが出来る）装置（ステップＳ１０２，Ｓ１０３〜Ｓ１０５）として、構成しておく。【選択図】  図５
2004320718.tif 000002
【特許請求の範囲】
【請求項１】
表示装置及び入力装置を具備したファクシミリ装置であって、
ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能なＦＡＸ制御手段と、
前記表示装置及び前記入力装置を、ユーザにより前記入力装置に対してボタンを押下する操作が行われる度に、前記ＦＡＸ制御手段による実行が完了していない各ジョブの内容が前記表示装置に１ジョブずつ順々に表示される手段として動作させる表示・入力装置制御手段
とを、備えることを特徴とするファクシミリ装置。
【請求項２】
表示装置及び入力装置を具備したファクシミリ装置であって、
ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能であると共に、ＦＡＸ送信ジョブ及び印刷ジョブのキューイングが可能なＦＡＸ制御手段と、
前記表示装置及び前記入力装置を、ユーザが、前記入力装置を操作することにより、未完了の各ジョブの内容を、前記表示装置に、読取ジョブ，ＦＡＸ送信ジョブという順で、１ジョブずつ表示させることができ、複数のＦＡＸ送信ジョブが存在する場合には、各ＦＡＸ送信ジョブの内容を、各ＦＡＸ送信ジョブの管理開始時刻順とは逆順で表示させることができる手段として動作させる表示・入力装置制御手段
とを、備えることを特徴とするファクシミリ装置。
【請求項３】
表示装置及び入力装置を具備したファクシミリ装置であって、
ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能であると共に、ＦＡＸ送信ジョブ及び印刷ジョブのキューイングが可能なＦＡＸ制御手段と、
前記表示装置及び前記入力装置を、ユーザが、前記入力装置を操作することにより、未完了の各ジョブの内容を、前記表示装置に、読取ジョブ，ＦＡＸ送信ジョブ，印刷ジョブ，ＦＡＸ受信ジョブという順で、１ジョブずつ表示させることができ、複数のＦＡＸ送信ジョブが存在する場合には、各ＦＡＸ送信ジョブの内容を、各ＦＡＸ送信ジョブの管理開始時刻順とは逆順で表示させることができ、複数の印刷ジョブが存在する場合には、各印刷ジョブの内容を、各印刷ジョブの管理開始時刻順とは逆順で表示させることができる手段として動作させる表示・入力装置制御手段
とを、備えることを特徴とするファクシミリ装置。
【請求項４】
前記表示・入力装置制御手段は、前記表示装置及び前記入力装置を、或るジョブの内容が前記表示装置に表示されているときに、前記入力装置を操作することにより、ユーザが、そのジョブの中止指示を出せる手段として動作させる
ことを特徴とする請求項１乃至請求項３のいずれかに記載のファクシミリ装置。
【請求項５】
表示装置及び入力装置を具備した情報処理装置であって、
複数種類のジョブを並行的に実行可能なジョブ実行手段と、
前記表示装置及び前記入力装置を、ユーザにより前記入力装置に対してボタンを押下する操作が行われる度に、前記ジョブ実行手段による実行が完了していない各ジョブの内容が前記表示装置に１ジョブずつ順々に表示される手段として動作させる表示・入力装置制御手段
とを、備えることを特徴とする情報処理装置。
【請求項６】
前記ジョブ実行手段が、
スキャナを利用して原稿のイメージデータを生成する読取ジョブと，ＦＡＸデータを指定されているＦＡＸ送信先に送信するＦＡＸ送信ジョブと，送信されてきたＦＡＸデータを受信して記憶するＦＡＸ受信ジョブと，前記読取ジョブにより生成されたイメージデータ及び前記ＦＡＸ受信ジョブにより受信されたＦＡＸデータに基づく印刷を行う印刷ジョブとを、実行可能な手段であり、
前記表示・入力装置制御手段が、
前記表示装置及び前記入力装置を、ユーザにより前記入力装置に対してボタンを押下する操作が行われる度に、前記ジョブ実行手段による実行が完了していない各ジョブの内容が、読取ジョブ、ＦＡＸ送信ジョブ、印刷ジョブ、ＦＡＸ受信ジョブの順に表示される手段として動作させる手段である
ことを特徴とする請求項５記載の情報処理装置。
【請求項７】
前記ジョブ実行手段が、
ＦＡＸデータを受信する受信ジョブと、当該受信ジョブとは内容の異なる非受信ジョブとを、実行可能な手段であり、
前記表示・入力装置制御手段が、
前記表示装置及び前記入力装置を、ユーザにより前記入力装置に対してボタンを押下する操作が行われる度に、前記ジョブ実行手段による実行が完了していない各ジョブの内容が、非受信ジョブ、受信ジョブの順に表示される手段として動作させる手段である
ことを特徴とする請求項５記載の情報処理装置。
【請求項８】
前記ジョブ実行手段が、
原稿のコピーを生成するために実行されるコピー関連ジョブと、原稿のコピーを生成することとは異なる目的のために実行されるコピー非関連ジョブとを、実行可能な手段であり、
前記表示・入力装置制御手段が、
前記表示装置及び前記入力装置を、ユーザにより前記入力装置に対してボタンを押下する操作が行われる度に、前記ジョブ実行手段による実行が完了していない各ジョブの内容が、コピー関連ジョブ、コピー非関連ジョブの順に表示される手段として動作させる手段である
ことを特徴とする請求項５記載の情報処理装置。
【請求項９】
前記表示・入力装置制御手段が、
ジョブの表示順を指定可能な手段である
ことを特徴とする請求項５記載の情報処理装置。
【発明の詳細な説明】
【技術分野】
【０００１】
本発明は、複数のジョブを並行的に実行できるファクシミリ装置及び情報処理装置に、関する。
【背景技術】
【０００２】
周知のように、近年のファクシミリ装置の多くは、ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブを、並行して実行できる装置であるとともに、ＦＡＸ送信ジョブ及び印刷ジョブのキューイングが可能な装置となっている。要するに、近年のファクシミリ装置の多くは、未送信のＦＡＸデータが残っていてもＦＡＸ原稿の読み取りが可能であり、受信したＦＡＸデータ（未印刷のＦＡＸデータ）が残っていてもＦＡＸ受信が可能な装置となっている。
【０００３】
そして、そのようなファクシミリ装置（複数のジョブを並行して実行可能なファクシミリ装置）は、通常、その筐体（コンソール部分）に設けられているディスプレイ上に、実行中／実行待機中のジョブの内容に関する簡単な情報（以下、概要情報と表記する）のリストを、印刷ジョブとＦＡＸ送信ジョブとについて表示させることが可能な装置であると共に、そのリストから或るジョブの概要情報を選択することにより、概要情報を選択した印刷ジョブ或いはＦＡＸ送信ジョブについての，より具体的な内容に関する情報（以下、詳細情報と表記する）をディスプレイ上に表示させることが可能な装置となっている。
【０００４】
また、ファクシミリ装置は、或るジョブについての詳細情報を確認したユーザが、他のジョブについての詳細情報を確認したくなった場合には、概要情報のリストを表示させるための操作を行ってから、目的とするジョブについての概要情報を選択する操作を行わなければならない装置ともなっている。
【０００５】
また、各種のジョブを実行できる情報処理装置（例えば、デジタル複合機）も、ファクシミリ装置と同様に、詳細情報を表示させるジョブの種類を選択してから、詳細情報を表示させるジョブを選択しなければならない装置となっている。
【０００６】
要するに、既存のファクシミリ装置，情報処理装置は、実行中／実行待機中の各ジョブの内容を確認するために、比較的に煩雑な作業を行わなければならない装置となっている。
【発明の開示】
【発明が解決しようとする課題】
【０００７】
本発明は、このような現状に鑑みなされたものであり、本発明の課題は、実行中／実行待機中の各ジョブの内容を確認するための作業がより簡単に行えるファクシミリ装置及び情報処理装置を、提供することにある。
【課題を解決するための手段】
【０００８】
上記課題を解決するために、本発明の第１の態様では、表示装置及び入力装置を具備したファクシミリ装置を、ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能なＦＡＸ制御手段と、表示装置及び入力装置を、ユーザにより入力装置に対してボタンを押下する操作が行われる度に、ＦＡＸ制御手段による実行が完了していない各ジョブの内容が表示装置に１ジョブずつ順々に表示される手段として動作させる表示・入力装置制御手段とを、備えたものとして構成しておく。
【０００９】
また、本発明の第２の態様では、ファクシミリ装置を、ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能であると共に、ＦＡＸ送信ジョブ及び印刷ジョブのキューイングが可能なＦＡＸ制御手段と、表示装置及び入力装置を、ユーザが、入力装置を操作することにより、未完了の各ジョブの内容を、表示装置に、読取ジョブ，ＦＡＸ送信ジョブという順で、１ジョブずつ表示させることができ、複数のＦＡＸ送信ジョブが存在する場合には、各ＦＡＸ送信ジョブの内容を、各ＦＡＸ送信ジョブの管理開始時刻順とは逆順で表示させることができ手段として動作させる表示・入力装置制御手段とを、備えたものとして構成しておく。
【００１０】
そして、本発明の第３の態様では、ファクシミリ装置を、ＦＡＸ送信すべき原稿からＦＡＸデータを生成するための読取ジョブ，ＦＡＸデータを指定されているＦＡＸ送信先に送信するためのＦＡＸ送信ジョブ，送信されてきたＦＡＸデータを受信して記憶するためのＦＡＸ受信ジョブ，ＦＡＸ受信ジョブにより受信され記憶されたＦＡＸデータに基づく印刷を行うための印刷ジョブとを実行可能であると共に、ＦＡＸ送信ジョブ及び印刷ジョブのキューイングが可能なＦＡＸ制御手段と、表示装置及び入力装置を、ユーザが、入力装置を操作することにより、未完了の各ジョブの内容を、表示装置に、読取ジョブ，ＦＡＸ送信ジョブ，印刷ジョブ，ＦＡＸ受信ジョブという順で、１ジョブずつ表示させることができ、複数のＦＡＸ送信ジョブが存在する場合には、各ＦＡＸ送信ジョブの内容を、各ＦＡＸ送信ジョブの管理開始時刻順とは逆順で表示させることができ、複数の印刷ジョブが存在する場合には、各印刷ジョブの内容を、各印刷ジョブの管理開始時刻順とは逆順で表示させることができる手段として動作させる表示・入力装置制御手段とを、備えたもんとおして構成しておく。
【００１１】
すなわち、本発明の各態様のファクシミリ装置は、ジョブの概要情報のリストから概要情報を選択する操作を行うことなく、ユーザが、実行中／実行待機中の各ジョブの内容を確認できる構成を有する。従って、本発明の各態様のファクシミリ装置は、ジョブの概要情報のリストから概要情報を選択する操作が必要とされるファクシミリ装置よりも、実行中／実行待機中の各ジョブの内容を確認する作業が行いやすい装置として機能することになる。
【００１２】
なお、本発明のファクシミリ装置を実現する際には、ユーザが内容を確認したいジョブについての情報が先に表示されるようにしておくことが望ましいので、本発明の第２、第３の態様の構成を採用しておくことが望ましい。
【００１３】
また、本発明の各態様のファクシミリ装置を実現するに際しては、表示・入力装置制御手段として、表示装置及び入力装置を、或るジョブの内容が表示装置に表示されているときに、入力装置を操作することにより、ユーザが、そのジョブの中止指示を出せる手段として動作させる手段を採用しておくことも出来る。
【００１４】
そして、本発明の情報処理装置は、表示装置と、入力装置と、複数種類のジョブを並行的に実行可能なジョブ実行手段と、表示装置及び入力装置を、ユーザにより入力装置に対してボタンを押下する操作が行われる度に、ジョブ実行手段による実行が完了していない各ジョブの内容が表示装置に１ジョブずつ順々に表示される手段として動作させる表示・入力装置制御手段とを、備える。
【００１５】
すなわち、本発明の情報処理装置は、その内容の表示対象とするジョブの種類を選択する操作を行うことなく、ユーザが、実行中／実行待機中の各ジョブの内容を確認できる構成を、有する。従って、この本発明の情報処理装置は、その内容の表示対象とするジョブの種類を選択する操作が必要とされる既存の情報処理装置よりも、実行中／実行待機中の各ジョブの内容を確認する作業が行いやすい装置として機能することになる。
【００１６】
本発明の情報処理装置を実現するに際しては、ジョブ実行手段として、スキャナを利用して原稿のイメージデータを生成する読取ジョブと，ＦＡＸデータを指定されているＦＡＸ送信先に送信するＦＡＸ送信ジョブと，送信されてきたＦＡＸデータを受信して記憶するＦＡＸ受信ジョブと，読取ジョブにより生成されたイメージデータ及びＦＡＸ受信ジョブにより受信されたＦＡＸデータに基づく印刷を行う印刷ジョブとを、実行可能な手段を採用し、表示・入力装置制御手段として、表示装置及び入力装置を、ユーザにより入力装置に対してボタンを押下する操作が行われる度に、ジョブ実行手段による実行が完了していない各ジョブの内容が、読取ジョブ、ＦＡＸ送信ジョブ、印刷ジョブ、ＦＡＸ受信ジョブの順に表示される手段として動作させる手段を採用することが出来る。
【００１７】
また、本発明の情報処理装置を実現する際には、ジョブ実行手段として、ＦＡＸデータを受信する受信ジョブと、当該受信ジョブとは内容の異なる非受信ジョブとを、実行可能な手段を採用し、表示・入力装置制御手段として、表示装置及び入力装置を、ユーザにより入力装置に対してボタンを押下する操作が行われる度に、ジョブ実行手段による実行が完了していない各ジョブの内容が、非受信ジョブ、受信ジョブの順に表示される手段として動作させる手段を採用することも出来る。
【００１８】
また、本発明の情報処理装置を実現する際には、ジョブ実行手段として、原稿のコピーを生成するために実行されるコピー関連ジョブと、原稿のコピーを生成することとは異なる目的のために実行されるコピー非関連ジョブとを、実行可能な手段を採用し、表示・入力装置制御手段として、表示装置及び入力装置を、ユーザにより入力装置に対してボタンを押下する操作が行われる度に、ジョブ実行手段による実行が完了していない各ジョブの内容が、コピー関連ジョブ、コピー非関連ジョブの順に表示される手段として動作させる手段を採用しても良い。
【００１９】
また、本発明の情報処理装置を実現する際には、表示・入力装置制御手段として、ジョブの表示順を指定可能な手段を採用しても良い。
【発明を実施するための最良の形態】
【００２０】
以下、本発明を実施するための最良の形態を、図面を参照して詳細に説明する。
【００２１】
《第１実施形態》
まず、図１〜図３を用いて、本発明の第１実施形態に係るファクシミリ装置１０のハードウェア構成を、説明する。
【００２２】
図１に示してあるように、本実施形態に係るファクシミリ装置１０は、制御ユニット１１とスキャナ１２とプリンタ１３とを組み合わした装置である。また、本実施形態に係るファクシミリ装置１０は、図２に示してあるように、一般的なデジタル複合機／コピー機と同様の外観を有する装置となっている。
【００２３】
このファクシミリ装置１０に用いられているプリンタ１３は、コンピュータの周辺機器として使用可能なプリンタに、ファクシミリ装置１０を構成するための(制御ユニット１１とプリンタ１３とを接続するための)拡張ボードが装着された機器である。スキャナ１２は、コンピュータの周辺機器として使用可能なスキャナに、ファクシミリ装置１０を構成するための(制御ユニット１１とスキャナ１２とを接続するための)拡張ボードが装着された機器である。このスキャナ１２は、両面原稿の読み取りが可能な機器(原稿を裏返せるＡＤＦ(Automatic Document Feeder)を備えた機器)となっている。
【００２４】
制御ユニット１１は、スキャナ１２とプリンタ１３と自ユニットを、ファクシミリの送受信が可能な装置として動作させるユニットである。この制御ユニット１１は、図１に示してあるように、ＣＰＵ２１，ＲＯＭ２２，ＲＡＭ２３，ＨＤＤ２４，通信制御回路２５，画像処理回路２６，ＬＣＤ制御回路２７，入力インタフェース回路(入力Ｉ／Ｆ)２８，ネットワークインタフェース回路(ＮＷ−Ｉ／Ｆ)２９，モデム３０，タッチスクリーン３１，スイッチ部３２等により構成されている。
【００２５】
制御ユニット１１を構成しているタッチスクリーン３１は、液晶ディスプレイ(ＬＣＤ)３５上に透明な接触位置センサ３６を重ねた素子である。スイッチ部３２は、図３に示してあるように、制御ユニット１１の筐体上に設けられたスタートボタン３２ｓ，ストップボタン３２ｃ，テンキー等と、それらの制御回路(図示せず)とからなるユニットである。
【００２６】
ＣＰＵ２１は、ファクシミリ装置１０の各部(制御ユニット１１内の各部、スキャナ１２及びプリンタ１３)を統合的に制御する制御回路である。ＲＯＭ２２は、ＣＰＵ２１の動作手順を規定するプログラムやＣＰＵ２１(プログラム)が利用するデータが記録されている読み出し専用のメモリである。ＲＡＭ２３は、ＲＯＭ２２に記録されているプログラムが読み出されるメモリであると共に、ＣＰＵ２１(プログラム)の作業領域として用いられるメモリである。通信制御回路２５は、ＣＰＵ２１が、スキャナ１２或いはプリンタ１３との間で情報交換(コマンドの送信、画像データの受信、印刷データの送信)を行うために使用する回路である。画像処理回路２６は、スキャナ１２によって生成された画像データ(本実施形態では、多値画像データ)に対して各種の画像処理を施すための回路である。
【００２７】
ＬＣＤ制御回路２７は、タッチスクリーン３１(ＬＣＤ３５)に、ＣＰＵ２１から指示された内容の画像(画面)を表示させる回路である。入力インタフェース回路２８は、ユーザ(ファクシミリ装置１０の操作者)がテンキー部３２或いはタッチスクリーン３１(接触位置センサ３６)に対して行った操作内容を、ＣＰＵ２１に通知する回路である。ネットワークインタフェース回路２９は、制御ユニット１１をＬＡＮに接続するための回路であり、モデム３０は、制御ユニット１１を電話回線網に接続するための回路である。
【００２８】
ＨＤＤ２４は、一時ファイル(プリンタに供給するデータ、ＦＡＸ送信するデータ、受信したＦＡＸデータ(印刷してないもの)、他コンピュータに送信するデジタル文書のファイル)、電源が落とされても保持しておくことが必要な各種の情報（登録されているＦＡＸ番号やＩＰアドレス、実行中／実行待機中の各ジョブに関する情報）を記憶しておくために、制御ユニット１１に搭載されている補助記憶装置(ハードディスク装置)である。
【００２９】
以下、本ファクシミリ装置１０の動作（制御ユニット１１の動作）を、説明する。なお、本実施形態に係る制御ユニット１１は、スキャナ１２，プリンタ１３及び自ユニットを、コピー機として動作させることや、スキャナ１２及び自ユニットを、デジタル文書作成装置(セットされた原稿からデジタル文書［当該原稿のイメージデータファイル］を作成して他のコンピュータへＴＣＰ／ＩＰ送信する機能を有する装置)として動作させることも可能なユニットなのであるが、以下では、本ファクシミリ装置１０がファクシミリの送受信が可能な装置として動作している場合における制御ユニット１１の動作のみを、説明することにする。
【００３０】
まず、制御ユニット１１の概要説明を行う。
【００３１】
制御ユニット１１は、読取ジョブと、ＦＡＸ送信ジョブと、ＦＡＸ受信ジョブと、印刷ジョブとを、実行可能なユニットとなっている。ここで、読取ジョブとは、ＦＡＸ送信を行う原稿をスキャナ１２を利用してイメージデータ化し、そのイメージデータに対して画像処理等を行うことによりＦＡＸデータ（ＦＡＸ送信に実際に用いるデータ）を生成するジョブのことである。また、ＦＡＸ送信ジョブとは、読取ジョブによって用意されたＦＡＸデータを実際にＦＡＸ送信するジョブのことであり、ＦＡＸ受信ジョブとは、送信されてきたＦＡＸデータを受信するジョブのことである。そして、印刷ジョブとは、ＦＡＸ受信ジョブにて受信されたＦＡＸデータに応じた内容の印刷物をプリンタ１３に印刷させるジョブのことである。
【００３２】
また、制御ユニット１１は、ＦＡＸ送信ジョブ及び印刷ジョブについては、実行待機中のジョブが存在し得る（いわゆるキューイングが行える）ユニットであると共に、読取ジョブと、印刷ジョブと、ＦＡＸ送信ジョブ或いはＦＡＸ受信ジョブとを並行して実行可能なユニット（ＦＡＸ送信ジョブとＦＡＸ受信ジョブとは同時に実行できないユニット）となっている。さらに、制御ユニット１１は、通常は、図４に示した構成のＦＡＸ用基本画面をタッチスクリーン３１上に表示しているユニット（より正確には、読取ジョブを実行していない場合には、ユーザが、図４に示したＦＡＸ用基本画面をタッチスクリーン３１上に表示させることが出来るユニット；詳細は後述）であると共に、このＦＡＸ用基本画面を利用したＦＡＸ送信先等の設定作業が行われた後にスタートボタン３２ｓ（図３参照）が押下されたときに、読取ジョブを開始するユニットとなっている。
【００３３】
そして、本制御ユニット１１は、実行中／実行待機中の各ジョブの内容をユーザに提示する際の動作内容、ジョブの中止（削除）指示を受け付ける際の動作内容に特徴があるユニットとなっている。
【００３４】
以上のことを前提として、以下、本実施形態に係るファクシミリ装置１０（制御ユニット１１）の動作を、更に具体的に説明する。
【００３５】
制御ユニット１１は、実行中／実行待機中の各ジョブの内容をユーザに提示するための処理であるジョブ情報表示処理を、ＦＡＸ用基本画面（図４）上の“通信管理”ボタン４１の押下で始まる所定の操作（“通信管理”ボタン４１を押下し、その結果としてタッチスクリーン３１上に表示される画面上の特定のボタンを押下する操作：以下、ジョブ情報表示処理開始指示操作と表記する）がなされた時と、読取ジョブの実行時とに、実行するユニットとして構成されている。なお、このジョブ情報表示処理は、ジョブの中止指示を受け付けられる処理ともなっている。
【００３６】
さらに、制御ユニット１１は、ジョブ情報表示処理を実行していない状態でストップボタン３２ｃが押下された場合には、ジョブの中止指示を受け付けるための処理であるジョブ中止指示受付処理を実行するユニットとして構成されている。
【００３７】
まず、ジョブ情報表示処理時の制御ユニット１１の動作を説明する。
【００３８】
図５に示したように、ジョブ情報表示処理を開始した制御ユニット１１は、注目順位が“１”（第１順位）であることを記憶(ステップＳ１０１)した後、ジョブ順位が注目順位のジョブに関するＦＡＸジョブ情報表示画面を、タッチスクリーン３１上に表示する(ステップＳ１０２)。
【００３９】
ここで、ジョブ順位とは、実行中／実行待機中の各ジョブに対して、読取ジョブ，ＦＡＸ送信ジョブ，印刷ジョブ，ＦＡＸ受信ジョブという順に、複数のＦＡＸ送信ジョブ間では，ジョブの管理開始順（ジョブが開始／キューイングされた時刻の順）とは逆順となるように、複数の印刷ジョブ間では，ジョブの管理開始順と同一順となるように、付けられる仮想的な順位のことである。
【００４０】
また、ＦＡＸジョブ情報表示画面とは、図６(Ａ)〜(Ｄ)、図７(Ａ)〜(Ｄ)に示したような画面のことである。なお、図７(Ａ)〜(Ｄ)に示したＦＡＸジョブ情報表示画面は、読取ジョブが開始された結果として開始されたジョブ情報表示処理により、タッチスクリーン３１上に表示されるものであり、図７(Ａ)に示したＦＡＸジョブ情報表示画面上の領域５１ｐは、読み取りが完了したページ数が示される領域である。また、図６(Ａ)〜(Ｄ)に示したＦＡＸジョブ情報表示画面は、ジョブ情報表示処理開始指示操作がなされた結果として開始されたジョブ情報表示処理や、読取ジョブが開始された結果として開始されたジョブ情報表示処理（ただし、読取ジョブの終了後のもの）により、タッチスクリーン３１上に表示されるものである。
【００４１】
これらの図から推定されるように、ＦＡＸジョブ情報表示画面は、ジョブ順位が注目順位と一致しているジョブ（以下、注目順位ジョブと表記する）の内容が示される情報表示領域５１，左カーソルボタン５２Ｌ，右カーソルボタン５２Ｒ，注目順位／ジョブ総数（“１／４”、“２／４”等）が示されるジョブ順位・総数表示領域５３，“戻る”ボタン５４等を有する画面となっている。また、ＦＡＸジョブ情報表示画面は、注目順位が“１”である場合には、左カーソルボタン５２Ｌが無効となる（薄いグレーで表示され、その押下時に何も行われなくなる）画面（図６(Ａ)、図７(Ａ)）であると共に、注目順位がジョブ総数と一致している場合には、右カーソルボタン５２Ｒが無効となる画面（図６(Ｄ)、図７(Ｄ)）となっている。さらに、ＦＡＸジョブ情報表示画面は、読取ジョブが行われていない場合には、“戻る”ボタン５４が有効となり(図６(Ａ)〜(Ｄ)）、読取ジョブが行われている場合には、“戻る”ボタン５４が無効となる(図７(Ａ)〜(Ｄ)）画面となっている。
【００４２】
このようなＦＡＸジョブ情報表示画面をタッチスクリーン３１上に表示した制御ユニット１１は、タッチスクリーン３１上に表示しているＦＡＸジョブ情報表示画面のボタン（有効なもの）が押下されることと、ストップボタン３２ｃが押下されることと、実行中のジョブが終了することとを、監視する状態(図５：ステップＳ１０３)となる。
【００４３】
そして、制御ユニット１１は、右カーソルボタン５２Ｒが押下された場合(ステップＳ１０３；右カーソル)には、注目順位を次順位に変更する（注目順位に“１”を加算する）処理(ステップＳ１０４)を行ってから、再び、ステップＳ１０２以降の処理を開始する。また、制御ユニット１１は、左カーソルボタン５２Ｌが押下された場合(ステップＳ１０３；左カーソル)には、注目順位を前順位に変更する（注目順位から“１”を減ずる）処理(ステップＳ１０５)を行ってから、再び、ステップＳ１０２以降の処理を開始する。
【００４４】
すなわち、制御ユニット１１は、図６(Ａ)〜図６(Ｃ)、図７(Ａ)〜図７(Ｃ)に示したＦＡＸジョブ情報表示画面上の右カーソルボタン５２Ｒが押下された場合には、それぞれ、図６(Ｂ)〜図６(Ｄ)、図７(Ｂ)〜図７(Ｄ)に示したものに、タッチスクリーン３１上のＦＡＸジョブ情報表示画面を変更し、図６(Ｂ)〜図６(Ｄ)、図７(Ｂ)〜図７(Ｄ)に示したＦＡＸジョブ情報表示画面上の左カーソルボタン５２Ｌが押下された場合には、それぞれ、図６(Ａ)〜(Ｃ)、図７(Ａ)〜図７(Ｃ)に示したものに、タッチスクリーン３１上のＦＡＸジョブ情報表示画面を変更する。
【００４５】
一方、ストップボタン３２ｃが押下された場合(ステップＳ１０３；ストップ)、制御ユニット１１は、注目順位ジョブ（ジョブ順位が注目順位と一致しているジョブ）に関するジョブ削除確認画面をタッチスクリーン３１上に表示する(ステップＳ１０６)。
【００４６】
このステップＳ１０６で表示されるジョブ削除確認画面は、図８(Ａ)に例示したように、“中止する”ボタン６１と“中止しない”ボタン６２とを備える画面であると共に、中止対象となっているジョブが何であるかが示される画面となっている。なお、この図８(Ａ)に示したジョブ削除確認画面は、図６(Ａ)に示したＦＡＸジョブ情報表示画面がタッチスクリーン３１上に表示されている状態でストップボタン３２ｓが押下された場合にタッチスクリーン３１上に表示されるものである。
【００４７】
このようなジョブ削除確認画面をタッチスクリーン３１上に表示した制御ユニット１１は、“中止する”ボタン６１、或いは、“中止しない”ボタン６２が押下されるのを待機する状態(ステップＳ１０７)となり、“中止しない”ボタン６２が押下された場合(ステップＳ１０７；中止する)には、ステップＳ１０２以降の処理を開始する。すなわち、制御ユニット１１は、タッチスクリーン３１上に、ストップボタン３２ｃ押下時に表示していたものと同じＦＡＸジョブ情報表示画面を表示した後、ユーザによるボタン押下，実行中のジョブの完了といったイベントの発生を待機する状態となる。
【００４８】
一方、ジョブ削除確認画面（図８(Ａ)）上の“中止する”ボタン６１が押下された場合(ステップＳ１０７；中止する)、制御ユニット１１は、ジョブ削除中画面をタッチスクリーン３１上に表示した状態で注目順位ジョブを削除する処理(ステップＳ１０８)を行う。ここで、ジョブ削除中画面とは、指定されたジョブを中止していることをユーザに提示するための画面のことである。例えば、図８(Ａ)に示したジョブ削除確認画面上の“中止する”ボタン６１が押下された場合、タッチスクリーン３１上には、このジョブ削除中画面として、図８(Ｂ)に示した画面が、表示される。
【００４９】
ステップＳ１０８（図５）の処理を終えた制御ユニット１１は、未完了ジョブが残っているか否かを判断(ステップＳ１０９)し、未完了ジョブが残っていた場合(ステップＳ１０９；ＹＥＳ)には、その時点における注目順位が、その時点におけるジョブ順位の最終順位（＝ジョブ削除後の未完了ジョブの総数）を超えているか否かを判断する(ステップＳ１１０)。そして、制御ユニット１１は、注目順位が最終順位を超えていなかった場合(ステップＳ１１０；ＮＯ)には、注目順位を変更することなく、ステップＳ１０２以降の処理を開始し、注目順位が最終順位を超えていた場合(ステップＳ１１０；ＹＥＳ)には、注目順位を最終順位に変更(ステップＳ１１１)してから、ステップＳ１０２以降の処理を開始する。
【００５０】
すなわち、制御ユニット１１は、図８(Ｂ)に示したジョブ削除中画面をタッチスクリーン３１上に表示していた場合には、注目順位を“１”に維持したままで、ステップＳ１０２の処理を実行することにより、図８(Ｃ)に示したＦＡＸジョブ情報表示画面（図６(Ｂ)に示したＦＡＸジョブ情報表示画面に相当するものであるが、実行中のジョブ／待機待ち状態にあるジョブの総数が“１”減少しているため、ジョブ順位・総数表示領域５３内に“１／３”が表示されているＦＡＸジョブ情報表示画面）をタッチスクリーン３１上に表示する。
【００５１】
また、制御ユニット１１は、図６(Ｄ)に示したＦＡＸジョブ情報表示画面がタッチスクリーン３１上に表示されている状態でストップボタン３２ｃが押下され、実行待機中の印刷ジョブが実際に中止（削除）された場合には、注目順位を“３”に変更した後にステップＳ１０２の処理を実行する。すなわち、この場合、制御ユニット１１は、図６(Ｃ)に示したＦＡＸジョブ情報表示画面相当のＦＡＸジョブ情報表示画面（ジョブ順位・総数表示領域５３内に“３／３”が示されているもの）をタッチスクリーン３１上に表示する。
【００５２】
一方、ステップＳ１０８（図５）にてジョブを中止（削除）する処理を行った結果、未完了ジョブがなくなった場合(ステップＳ１０９；ＮＯ)、制御ユニット１１は、このジョブ情報表示処理を終了する。また、制御ユニット１１は、ＦＡＸジョブ情報表示画面上の“戻る”ボタン５４（有効なもの）が押下された場合(ステップＳ１０３；戻る)にも、このジョブ情報表示処理を終了する。そして、ジョブ情報表示処理を終了した制御ユニット１１は、ジョブ情報表示処理の開始直前に表示していたものと同じ種類の画面を表示している状態となる。
【００５３】
また、実行中のジョブが終了した場合(ステップＳ１０３；ジョブ完了)、制御ユニット１１は、既に説明したステップＳ１０９以降の処理を、行う。すなわち、未完了ジョブがなくなった場合には、このジョブ情報表示処理を終了し、未完了ジョブがあった場合には、必要に応じて注目順位を変更する処理を行った後に、タッチスクリーン３１上のＦＡＸジョブ情報表示画面を、現状に応じたもの（ジョブ順位・総数表示領域５３の内容が変わったもの，“戻る”ボタン５４の表示形態が変わったもの等）に、変更する。
【００５４】
次に、図９及び図１０に示したジョブ中止指示受付処理の流れ図を用いて、ジョブ中止指示受付処理時の制御ユニット１１の動作を説明する。
【００５５】
既に説明したように、このジョブ中止指示受付処理は、ジョブ情報表示処理が行われていない状態（換言すれば、ＦＡＸジョブ情報表示画面がタッチスクリーン３１上に表示されていない状態）でストップボタン３２ｃが押下された場合に制御ユニット１１が実行する処理であるが、ジョブ中止指示受付処理の流れ図（図９及び図１０）とＦＡＸジョブ情報表示処理の流れ図（図５）を比較すれば明らかなように、このジョブ中止指示受付処理は、ＦＡＸジョブ情報表示処理とその内容が極めて類似した処理となっている。
【００５６】
具体的には、このジョブ中止指示受付処理のステップＳ２０１、ステップＳ２０２〜Ｓ２０７（図９）は、それぞれ、ジョブ情報表示処理（図５）のステップＳ１０１、ステップＳ１０６〜Ｓ１１１と同内容の処理が行われるステップとなっている。また、ジョブ中止指示受付処理のステップＳ２１２〜Ｓ２２１（図１０）は、それぞれ、ジョブ情報表示処理（図５）のステップＳ１０２〜Ｓ１１１と同内容の処理が行われるステップとなっている。
【００５７】
すなわち、ＦＡＸジョブ情報表示画面がタッチスクリーン３１上に表示されていない状態でストップボタン３２ｃが押下されたことにより、このジョブ中止指示受付処理を開始した制御ユニット１１は、まず、ジョブ順位が第１順位となっているジョブに関するジョブ削除確認画面（図８(Ａ)参照）をタッチスクリーン３１上に表示する。そして、ジョブ削除確認画面の表示を行った制御ユニット１１は、ＦＡＸジョブ情報表示処理のステップＳ１０７移行の処理と全く同内容の処理を開始する。
【００５８】
最後に、ジョブを削除するしかない（ジョブを削除するという対処しか行えない）エラーが発生した場合における制御ユニット１１の動作を、説明しておくことにする。
【００５９】
制御ユニット１１は、ジョブを中止（削除）するしかないエラーが発生した場合、ジョブを中止するか否かをユーザに問い合わせることなく、ジョブを中止（削除）するユニットとなっている。ただし、制御ユニット１１は、ユーザに何らかの作業を行わせなければならないエラーについては、当該作業が完了したことをユーザに確認してから、ジョブを中止（削除）するユニットとなっている。具体的には、スキャナとの間の通信エラーが発生した場合には、図１１(Ａ)に示したような画面を表示してから、図１１(Ｂ)に示したような画面をタッチスクリーン３１上に表示してジョブを中止（削除）するユニットとなっている。
【００６０】
以上、詳細に説明したように、この第１実施形態に係る制御ユニット１１は、ＦＡＸジョブ情報表示処理（図５）が行われているとき、ジョブの概要情報のリストから概要情報を選択する操作を行うことなく、ユーザが、実行中／実行待機中の各ジョブの内容を確認できる状態となる構成を、有する。従って、本発明の各態様のファクシミリ装置は、ジョブの概要情報のリストから概要情報を選択する操作が必要とされるファクシミリ装置よりも、実行中／実行待機中の各ジョブの内容を確認する作業が行いやすい装置として機能することになる。しかも、ＦＡＸジョブ情報表示処理は、ユーザに、（読取ジョブ，）ＦＡＸ送信ジョブ，印刷ジョブ，ＦＡＸ受信ジョブという順で、１ジョブずつその内容を提示する処理であると共に、複数のＦＡＸ送信ジョブが存在する場合には、各ＦＡＸ送信ジョブの内容を、各ＦＡＸ送信ジョブの管理開始時刻順とは逆順で提示し、複数の印刷ジョブが存在する場合には、各印刷ジョブの内容を、各印刷ジョブの管理開始時刻順とは逆順で提示する処理となっている。
【００６１】
そして、ＦＡＸ受信ジョブ、印刷ジョブは、内容を確認したいケースが滅多に無いジョブである。また、ＦＡＸ送信ジョブは、受付順（管理開始時刻順）が遅いものを、素早く（単純な操作で）確認できる方が好ましいジョブである。何故ならば、ユーザが作業内容を確認したいと思うタイミングが、作業直後であることが多いからである。
【００６２】
従って、本ファクシミリ装置１０は、内容の確認が不必要なジョブに関する情報を見ないで済む装置ともなっていることになる。
【００６３】
《第２実施形態》
まず、図１２乃至図１４を用いて、本発明の第２実施形態に係る情報処理装置１１０の概要を、説明する。
【００６４】
図１２に示してあるように、本実施形態に係る情報処理装置１１０は、制御ユニット１１１とスキャナ１１２とプリンタ１１３とが組み合わされた装置である。
【００６５】
この情報処理装置１１０に用いられているスキャナ１１２，プリンタ１１３は、それぞれ、ファクシミリ装置１０（図１参照）に用いられているスキャナ１２，プリンタ１３と同じものである。
【００６６】
制御ユニット１１１は、ＣＰＵ１２１，ＲＯＭ１２２，ＲＡＭ１２３，ＨＤＤ１２４，通信制御回路１２５，画像処理回路１２６，ＬＣＤ制御回路１２７，入力インタフェース回路(入力Ｉ／Ｆ)１２８，ネットワークインタフェース回路(ＮＷ−Ｉ／Ｆ)１２９，モデム１３０，タッチスクリーン１３１，スイッチ部１３２等により構成されたユニットである。
【００６７】
この制御ユニット１１１を構成している各デバイスは、制御ユニット１１を構成している同名のデバイスと本質的には同じものである。例えば、スイッチ部１３２は、図１３に示したように、制御ユニット１１１の筐体上に設けられているスタートボタン１３２ｓ，ストップボタン１３２ｃ等により構成されたユニットとなっている。
【００６８】
ただし、本実施形態に係る制御ユニット１１１のＲＯＭ１２２には、第１実施形態に係る制御ユニット１１のＲＯＭ２２に記憶されているものとは異なるプログラムが、記憶されている。そして、当該プログラムは、制御ユニット１１１を、“読取(コピー)”ジョブ、“印刷(コピー)”ジョブ、“読取(ネットワークコピー)”ジョブ、“印刷(ネットワークコピー)”ジョブ、“読取(スキャンtoファイル)”ジョブ、“読取(スキャンtoＥメール)”ジョブ、“読取(ＰＣドライバ)”ジョブ、“印刷(ＰＣドライバ)”ジョブ、“印刷(ファイルtoプリント)”ジョブ、“読取(ＦＡＸ)”ジョブ、“送信(ＦＡＸ)”ジョブ、“受信(ＦＡＸ)”ジョブ、“印刷(ＦＡＸ)”ジョブを実行可能なユニットとして機能させるものとなっている。
【００６９】
以下、各ジョブの概要を、説明する。なお、以下の説明では、その名称に“読取”が含まれているジョブのことを、読取ジョブと表記する。また、スキャナ１１１に生成させた原稿のイメージデータのことを、スキャンデータと表示する。
【００７０】
“読取(ＰＣドライバ)”ジョブは、スキャナ１１２をネットワークスキャナとして機能させる（ネットワーク接続されているコンピュータにスキャナ１１２を利用させる）ジョブである。この“読取(ＰＣドライバ)”ジョブは、ネットワーク接続されているコンピュータから所定の指示が送信されてきたときに発生するジョブとなっている。
【００７１】
“読取(ＰＣドライバ)”ジョブを除く各読取ジョブ（“読取(コピー)”ジョブ、“読取(ネットワークコピー)”ジョブ等）は、その名称に示されている目的（コピー、ネットワークコピー等）のために使用するスキャンデータをスキャナ１１１に生成させるジョブである。また、“読取(ＰＣドライバ)”ジョブを除く各読取ジョブは、いずれも、スタートボタン１３２ｃが押下されたときに発生する（制御ユニット１１１が実行すべきものとして認識する）ジョブとなっている。
【００７２】
具体的には、“読取(ＦＡＸ)”ジョブは、図１４（Ａ）に示したＦＡＸ用基本画面がタッチスクリーン１３１上に表示されている状態でスタートボタン１３２ｃが押下されたときに、発生するジョブとなっている。
【００７３】
“読取(コピー)”ジョブは、図１４（Ｂ）に示したコピー用基本画面がタッチスクリーン１３１上に表示されており，かつ，コピー結果の出力先機器としてプリンタ１１３が選択されている状態で、スタートボタン１３２ｓが押下されたときに、発生するジョブとなっている。また、“読取(ネットワークコピー)”ジョブは、図１４（Ｂ）に示したコピー用基本画面がタッチスクリーン１３１上に表示されており，かつ，コピー結果の出力先機器として、自装置（情報処理装置１１０／制御ユニット１１１）とＬＡＮ接続されている他の情報処理装置１１０のプリンタ１１３が選択されている状態で、スタートボタン１３２ｓが押下されたときに、発生するジョブとなっている。なお、制御ユニット１１１は、このコピー用基本画面上の“用紙選択”ボタンを押下することにより、コピー結果の出力先機器の選択（指定）が行えるユニットとして、構成されている。
【００７４】
また、“読取(スキャンtoファイル)”ジョブは、スキャンデータの送信先の指定（コンピュータ及びフォルダの指定或いはＥメールアドレスの指定）が行えるスキャン用基本画面がタッチスクリーン１３１上に表示されており，かつ，スキャンデータの送信先として、自装置（情報処理装置１１０／制御ユニット１１１）とＬＡＮ接続されている或るコンピュータ内のフォルダが指定されている状態でスタートボタン１３２ｓが押下されたときに、発生するジョブとなっている。そして、“読取(スキャンtoＥメール)”ジョブは、スキャン用基本画面がタッチスクリーン１３１上に表示されており，かつ，スキャンデータの送信先として或るメールアドレスが指定されている状態でスタートボタン１３２ｓが押下されたときに、発生するジョブとなっている。
【００７５】
なお、図示は省略するが、“読取(スキャンtoファイル)”ジョブの等実行指示を出すためのスキャン用基本画面も、ＦＡＸ用基本画面、コピー用基本画面（図１４参照）と同様に、他の基本画面を表示させるためのモード切替ボタン１４１と、ジョブ情報表示処理（詳細は後述）を開始させるための“通信管理”ボタン１４２とを備えた画面となっている。
【００７６】
また、制御ユニット１１が実行可能な“印刷(コピー)”ジョブは、“読取(コピー)”ジョブが終了した際に発生するジョブである。この“印刷(コピー)”ジョブが発生すると、制御ユニット１１１は、プリンタ１１３が使用可能な状態であった場合（実行待機中の印刷ジョブが存在せず，かつ，プリンタ１１３が使用されていない場合）には、“読取(コピー)”ジョブにて生成されたイメージデータに応じた内容の印刷物をプリンタ１１３に生成させるための処理を開始する。また、プリンタ１１３が使用可能な状態ではなかった場合、制御ユニット１１１は、その“印刷(コピー)”ジョブを、実行待機中の他の各印刷ジョブの終了後に実行すべきものとして記憶する（“印刷(コピー)”ジョブのキューイングを行う）。
【００７７】
“印刷(ネットワークコピー)”ジョブは、自装置（制御ユニット１１１）とＬＡＮ接続されている他の情報処理装置１１０にて“読取(ネットワークコピー)”ジョブが終了した際（他の情報処理装置１１０からスキャンデータが送信されてきた際）に、発生するジョブである。この“印刷(ネットワークコピー)”ジョブが発生すると、制御ユニット１１１は、プリンタ１１３が使用可能な状態であった場合には、受信したイメージデータに応じた内容の印刷物をプリンタ１１３に生成させるための処理を開始する。一方、プリンタ１１３が使用可能な状態ではなかった場合、制御ユニット１１１は、その“印刷(ネットワークコピー)”ジョブを、実行待機中の他の各印刷ジョブの終了後に実行すべきものとして記憶する。
【００７８】
“印刷(ＰＣドライバ)”ジョブは、自装置とＬＡＮ接続されているコンピュータから送信されてきた印刷データに応じた内容の印刷物をプリンタ１１３に生成させるジョブである。また、“印刷(ファイルtoプリント)”ジョブは、ネットワーク接続されているコンピュータから与えられたコンピュータ名及びファイル名で特定されるファイルに基づく印刷をプリンタ１１３に行わせるジョブである。これらのジョブも、プリンタ１１３が使用可能な状態であった場合には、即座に開始され、プリンタ１１３が使用可能な状態ではなかった場合いは、キューイングされるジョブとなっている。
【００７９】
“送信(ＦＡＸ)”ジョブは、“読取(ＦＡＸ)”ジョブによって用意されたスキャンデータを実際にＦＡＸ送信するジョブである。この“送信(ＦＡＸ)”ジョブは、“読取(ＦＡＸ)”ジョブの完了時に発生するジョブであると共に、その発生時に、モデム１３０が利用できない状態（通常、モデム１３０が、他の“送信(ＦＡＸ)”ジョブ，或いは，“受信（ＦＡＸ）”ジョブに利用されている状態）であった場合には、キューイングされるジョブとなっている。
、
“受信(ＦＡＸ)”ジョブは、自装置に対して送信されてきたＦＡＸデータを受信するジョブであり、“印刷(ＦＡＸ)”ジョブは、“受信（ＦＡＸ）”ジョブにより受信されたＦＡＸデータに応じた内容の印刷物をプリンタ１１３に印刷させるジョブである。この“印刷(ＦＡＸ)”ジョブは、“受信（ＦＡＸ）”ジョブの完了時に発生するジョブと共に、その発生時に、モデム１３０が利用できない状態であった場合には、キューイングされるジョブとなっている。
【００８０】
以上のことを前提に、以下、本実施形態に係る情報処理装置１１０の構成，動作を、さらに、具体的に説明する。なお、以下の説明では、制御ユニット１１１が実行可能な，その名称に“印刷”が含まれている各ジョブのことを、印刷ジョブと表記する。
【００８１】
本情報処理装置１１０（制御ユニット１１１）は、制御ユニット１１１内のＨＤＤ１２２に、ジョブ情報表示順規定ファイルが記憶されている状態で動作する装置として、構成されている。
【００８２】
このジョブ情報表示順規定ファイルは、図１５〜図１８に模式的に示したように、１種以上の印刷ジョブの集合（以下、印刷ジョブグループと表記する），全種類の読取ジョブの集合（以下、読取ジョブグループと表記する），“送信（ＦＡＸ）”ジョブ，“受信（ＦＡＸ）”ジョブのそれぞれについて、数値情報である表示ランクを記憶可能な構成（形式）のファイルであると共に、ジョブ情報表示順規定ファイルは、各印刷ジョブグループ，“受信（ＦＡＸ）”ジョブについては、“１”或いは“０”のグループ内表示順指定値を記憶可能な構成（形式）のファイルとなっている。
【００８３】
そして、本情報処理装置１１０の制御ユニット１１１は、このジョブ情報表示順規定ファイルを以下のように利用するように構成された（プログラムされた）ユニットとなっている。なお、詳細説明は省略するが、実際の制御ユニット１１１は、図１５に示した内容のジョブ情報表示順規定ファイルと、図１５〜図１８に示した内容の４個の雛形ファイルとが、ＨＤＤ１２２に記憶されている状態で製造（出荷される）ユニットであると共に、制御ユニット１１１とネットワーク接続されたコンピュータを操作することにより、任意の雛形ファイルをジョブ情報表示順規定ファイルとする（雛形ファイルのコピーをジョブ情報表示順規定ファイルとして記憶する）ことや、ジョブ情報表示順規定ファイルの内容を変更することが出来るように構成されたユニットともなっている。
【００８４】
制御ユニット１１１は、電源が投入された際（及び、ジョブ情報表示順規定ファイルが変更された際）には、ＨＤＤ１２２に記憶されているジョブ情報表示順規定ファイルの内容をＲＡＭ上に読み出す。以下、この、ＲＡＭ上に読み出されたジョブ情報表示順規定ファイルの内容のことを、ジョブ情報表示順規定情報と表記する。
【００８５】
そして、制御ユニット１１１は、ＦＡＸ用基本画面（図１４（Ａ））、コピー用基本画面（図１４（Ｂ））、スキャン用基本画面上の“通信管理”ボタン１４２の押下で始まる所定の操作（以下、ジョブ情報表示処理開始指示操作と表記する）がなされた場合には、図１９に示した手順のジョブ情報表示処理を、開始する。また、制御ユニット１１１は、読取ジョブが発生した場合には、発生した読取ジョブを開始すると共に、このジョブ情報表示処理を、開始する。
【００８６】
すなわち、ジョブ情報表示処理開始指示操作がなされるか、読取ジョブが発生した場合、制御ユニット１１１は、まず、注目順位が“１”（第１順位）であることを記憶(ステップＳ５０１)した後、ジョブ情報表示順規定情報にて規定されるジョブ順位が注目順位と一致しているジョブに関するジョブ情報表示画面を、タッチスクリーン３１上に表示する(ステップＳ５０２)。
【００８７】
ここで、ジョブ情報表示順規定情報にて規定されるジョブ順位（以下、単に、ジョブ順位と表記する）とは、実行中／実行待機中の各ジョブに、ジョブ情報表示順規定情報内の表示ランクの昇順に付けられる順位のことである。このジョブ順位は、同一の印刷ジョブグループに属する複数個の印刷ジョブ，複数個の“送信（ＦＡＸ）”ジョブについては、対応するグループ内表示順指定値に応じた順（グループ内表示順指定値が“０”である場合には、ジョブの発生時刻順；グループ内表示順指定値が“１”である場合には、ジョブの発生時刻の逆順）で付けられる順位となっている。
【００８８】
また、ジョブ情報表示画面とは、図２０(Ａ)〜(Ｄ)に示したような画面のことである。なお、図２０(Ａ)に示したジョブ情報表示画面は、ジョブ順位が第１位のジョブが“読取（コピー）”ジョブであった場合に表示されるものである。換言すれば、このジョブ情報表示画面は、“読取（コピー）”ジョブが発生した結果としてジョブ情報表示処理が開始された場合（この場合、“読取（コピー）”ジョブが、ジョブ順位が第１位のジョブとなる）に表示されるものとなっている。
【００８９】
また、図２０(Ｂ)に示したジョブ情報表示画面は、ジョブ順位が第１位のジョブが“読取（スキャンtoＥメール）”ジョブであった場合（“読取（スキャンtoＥメール）”ジョブが発生した結果として、ジョブ情報表示処理が開始された場合）に表示されるものである。そして、図２０(Ｃ)、図２０（Ｄ）に示したジョブ情報表示画面は、ジョブ順位が第１位のジョブが、それぞれ、“印刷（コピー）”ジョブ、“印刷（ＰＣドライバ）”ジョブであった場合に表示されるものである。
【００９０】
これらの図から推定されるように、ジョブ情報表示画面は、ジョブ順位が注目順位と一致しているジョブ（以下、注目順位ジョブと表記する）の内容が示される情報表示領域１５１，左カーソルボタン１５２Ｌ，右カーソルボタン１５２Ｒ，注目順位／ジョブ総数（“１／４”、“２／４”等）が示されるジョブ順位・総数表示領域１５３，“戻る”ボタン１５４等を備えた画面となっている。また、ジョブ情報表示画面は、注目順位が“１”である場合には、左カーソルボタン１５２Ｌが無効となる（薄いグレーで表示され、その押下時に何も行われなくなる）画面となっている。また、図示は省略してあるが、ジョブ情報表示画面は、注目順位がジョブ総数と一致している場合には、右カーソルボタン１５２Ｒが無効となる画面となっている。さらに、読取ジョブに関するジョブ情報表示画面（図２０（Ａ）、図２０（Ｂ）参照）は、読み取り（イメージデータ化）が完了したページ数が示される領域１５１ｐと、無効な“戻る”ボタン１５４とを備えた画面となっている。
【００９１】
このようなジョブ情報表示画面をタッチスクリーン１３１上に表示した制御ユニット１１１は、タッチスクリーン１３１上に表示しているジョブ情報表示画面のボタン（有効なもの）の押下、ストップボタン１３２ｃの押下、実行中のジョブの終了を、監視している状態(図２０：ステップＳ５０３)となる。
【００９２】
そして、制御ユニット１１１は、右カーソルボタン１５２Ｒが押下された場合(ステップＳ５０３；右カーソル)には、注目順位を次順位に変更する（注目順位に“１”を加算する）処理(ステップＳ５０４)を行ってから、再び、ステップＳ５０２以降の処理を開始する。また、制御ユニット１１１は、左カーソルボタン１５２Ｌが押下された場合(ステップＳ５０３；左カーソル)には、注目順位を前順位に変更する（注目順位から“１”を減ずる）処理(ステップＳ５０５)を行ってから、再び、ステップＳ５０２以降の処理を開始する。
【００９３】
一方、ストップボタン１３２ｃが押下された場合(ステップＳ５０３；ストップ)、制御ユニット１１１は、注目順位ジョブ（ジョブ順位が注目順位と一致しているジョブ）に関するジョブ削除確認画面をタッチスクリーン１３１上に表示する(ステップＳ５０６)。このステップＳ５０６で表示されるジョブ削除確認画面は、第１実施形態に係る制御ユニット１１が表示するジョブ削除確認画面（図８参照）と同様に、“中止する”ボタンと、“中止しない”ボタンと、中止対象となっているジョブがどのジョブであるかを表す情報とが示される画面である。
【００９４】
次いで、制御ユニット１１１は、そのジョブ削除確認画面上の“中止する”ボタン、或いは、“中止しない”ボタンが押下されるのを待機する状態(ステップＳ５０７)となる。そして、制御ユニット１１１は、“中止しない”ボタン６２が押下された場合(ステップＳ５０７；中止する)には、ステップＳ５０２以降の処理を開始する。すなわち、この場合、制御ユニット１１１は、タッチスクリーン１３１上に、ストップボタン１３２ｃ押下時に表示していたものと同じジョブ情報表示画面を表示した後、各種のイベント（ユーザによるタッチスクリーン１３１に対する操作等）の発生を待機する状態となる。
【００９５】
一方、ジョブ削除確認画面上の“中止する”ボタンが押下された場合(ステップＳ５０７；中止する)、制御ユニット１１は、注目順位ジョブを削除する処理(ステップＳ５０８)を行う。なお、このステップＳ５０８の処理時、制御ユニット１１１は、第１実施形態に係る制御ユニット１１が表示するジョブ削除中画面（図８(Ｂ)）と同構成のジョブ削除中画面をタッチスクリーン１３１上に表示する。
【００９６】
次いで、制御ユニット１１は、未完了ジョブが残っているか否かを判断(ステップＳ５０９)し、未完了ジョブが残っていた場合(ステップＳ５０９；ＹＥＳ)には、その時点における注目順位が、その時点におけるジョブ順位の最終順位（＝その時点における未完了ジョブの総数）を超えているか否かを判断する(ステップＳ５１０)。そして、制御ユニット１１１は、注目順位が最終順位を超えていなかった場合(ステップＳ５１０；ＮＯ)には、注目順位を変更することなく、ステップＳ５０２以降の処理を開始する。一方、注目順位が最終順位を超えていた場合(ステップＳ５１０；ＹＥＳ)、制御ユニット１１１は、注目順位を最終順位に変更(ステップＳ５１１)してから、ステップＳ５０２以降の処理を開始する。
【００９７】
そして、制御ユニット１１１は、ステップＳ５０８にてジョブを中止（削除）する処理を行った結果、未完了ジョブがなくなったとき(ステップＳ５０９；ＮＯ)や、ジョブ情報表示画面上の“戻る”ボタン５４（有効なもの）が押下されたとき(ステップＳ５０３；戻る)に、このジョブ情報表示処理を終了する。なお、ジョブ情報表示処理を終了した制御ユニット１１は、ジョブ情報表示処理の開始直前に表示していたものと同じ種類の画面を表示している状態となる。
【００９８】
また、制御ユニット１１１は、実行中の或るジョブが終了した場合(ステップＳ５０３；ジョブ完了)にも、既に説明したステップＳ５０９以降の処理を、行う。すなわち、制御ユニット１１１は、未完了ジョブがなくなった場合には、このジョブ情報表示処理を終了し、未完了ジョブがあった場合には、必要に応じて注目順位を変更する処理を行った後に、タッチスクリーン１３１上のジョブ情報表示画面を現状に応じたものに、変更する。
【００９９】
そして、本実施形態に係る制御ユニット１１１は、このような内容のジョブ情報表示処理を実行するユニットであると共に、ジョブ情報表示処理を実行していない状態（ＦＡＸ用基本画面、コピー用基本画面等をタッチスクリーン１３１上に表示している状態）で、ストップボタン１３２ｃが押下された場合には、注目順位が“１”（第１順位）であることを記憶する処理に、このジョブ情報表示処理のステップＳ５０６以降の処理を続けた処理を開始するユニットとして構成されている。
【０１００】
また、制御ユニット１１１は、ジョブを削除するしかない（ジョブを削除するという対処しか行えない）エラーの発生時には、制御ユニット１１と同様に動作するユニットともなっている。すなわち、制御ユニット１１１は、ジョブを削除するしかないエラーの発生時には、ジョブを中止するか否かをユーザに問い合わせることなく、ジョブを中止（削除）するユニットであると共に、ジョブを削除するしかないエラーではあるが、ユーザに何らかの作業を行わせなければならないエラーについては、当該作業が完了したことをユーザに確認してから、ジョブを中止（削除）するようにも、構成されている。
【０１０１】
以上、説明したように、この第２実施形態に係る情報処理装置１１０（制御ユニット１１１）は、ユーザが、ジョブ情報の表示を行うジョブの種類を選択するための操作を行わなくてもしなくても、実行中／実行待機中の各ジョブの内容を確認できるものとなっている。従って、この情報処理装置１１０は、従来の複合機よりも、実行中／実行待機中の各ジョブの内容を確認する作業が行いやすい装置として機能することになる。しかも、情報処理装置１１０は、ジョブの表示順を、使用環境に適したものとすることが出来る装置（ジョブ情報表示順規定ファイルの内容を変更できる装置）となっているので、この情報処理装置１１０を用いれば、各種作業をより効率的に行えるオフィス環境を、実現できることになる。
【０１０２】
《変形形態》
第１実施形態に係るファクシミリ装置１０、第２実施形態に係る情報処理装置１１０は、各種の変形を行うことが出来る。例えば、ファクシミリ装置１０は、３種の装置としても機能する装置であったが、ファクシミリ装置１０を、ファクシミリとしてのみ機能する装置や、ファクシミリ及びコピー機として機能する装置に変形しても良い。また、情報処理装置１１０を、実行可能なジョブの種類が上記したものとは異なる装置に変形しても良い。
【０１０３】
また、ファクシミリ装置１０，情報処理装置１１０は、３つの装置(制御ユニット１１，スキャナ１２及びプリンタ１３)が組み合わされた装置であったが、ファクシミリ装置１０，情報処理装置１１０と同等の機能を有する装置を、１つの装置で実現しても良く、４つ以上の装置(例えば、組み合わせることによりコピー機として機能する３つの装置と、それらの装置からなる装置に、ファクシミリとしての機能を付加できる装置)で実現しても良い。
【０１０４】
さらに、接触位置センサ３６，１３６の代わりに幾つかの押しボタンスイッチを設けることにより、ファクシミリ装置１０，情報処理装置１１０を実現しても良いことや、ファクシミリ装置１０、情報処理装置１１０に表示させる各種画面の具体的な構成を、上記したものと異なるものとしておいても良いことは、当然のことである。
【図面の簡単な説明】
【０１０５】
【図１】本発明の第１実施形態に係るファクシミリ装置の構成図。
【図２】第１実施形態に係るファクシミリ装置の外観図。
【図３】第１実施形態に係るファクシミリ装置に用いられている制御ユニットの外観図。
【図４】制御ユニットが表示するＦＡＸ用基本画面の説明図。
【図５】制御ユニットが実行するジョブ情報表示処理の流れ図。
【図６】ジョブ情報表示処理実行時にタッチスクリーン上に表示されるＦＡＸジョブ情報表示画面の説明図。
【図７】ジョブ情報表示処理実行時にタッチスクリーン上に表示されるＦＡＸジョブ情報表示画面の説明図。
【図８】ジョブ情報表示処理実行時にストップボタンが押下された場合にタッチスクリーン上に表示される画面の説明図。
【図９】制御ユニットが実行するジョブ中止指示受付処理の流れ図。
【図１０】制御ユニットが実行するジョブ中止指示受付処理の，図９に続く流れ図。
【図１１】制御ユニットの、或るジョブを中止するしかない状態となったときの動作を説明するための図。
【図１２】本発明の第２実施形態に係る情報処理装置の構成図。
【図１３】第２実施形態に係る情報処理装置に用いられている制御ユニットの外観図。
【図１４】第２実施形態に係る制御ユニットがタッチスクリーン上に表示する画面の説明図。
【図１５】第２実施形態に係る制御ユニット内に記憶されるジョブ情報表示順規定ファイルの説明図。
【図１６】第２実施形態に係る制御ユニット内に記憶されるジョブ情報表示順規定ファイルの説明図。
【図１７】第２実施形態に係る制御ユニット内に記憶されるジョブ情報表示順規定ファイルの説明図。
【図１８】第２実施形態に係る制御ユニット内に記憶されるジョブ情報表示順規定ファイルの説明図。
【図１９】第２実施形態に係る制御ユニットが実行するジョブ情報表示処理の流れ図。
【図２０】ジョブ情報表示処理時にタッチスクリーン上に表示されるジョブ情報表示画面の説明図。
【符号の説明】
【０１０６】
１０  ファクシミリ装置、１１，１１１  制御ユニット、１２，１１２  スキャナ
１３，１１３  プリンタ、１１０  情報処理装置
【図１】
2004320718.tif 000003
【図２】
2004320718.tif 000004
【図３】
2004320718.tif 000005
【図４】
2004320718.tif 000006
【図５】
2004320718.tif 000007
【図６】
2004320718.tif 000008
【図７】
2004320718.tif 000009
【図８】
2004320718.tif 000010
【図９】
2004320718.tif 000011
【図１０】
2004320718.tif 000012
【図１１】
2004320718.tif 000013
【図１２】
2004320718.tif 000014
【図１３】
2004320718.tif 000015
【図１４】
2004320718.tif 000016
【図１５】
2004320718.tif 000017
【図１６】
2004320718.tif 000018
【図１７】
2004320718.tif 000019
【図１８】
2004320718.tif 000020
【図１９】
2004320718.tif 000021
【図２０】
2004320718.tif 000022